(57)【要約】【課題】従来の歪補償増幅器は、高周波信号が入力された状態で電源が投入されると、装置全体の消費電力が歪制御収束時に比べて瞬間的に高くなってしまい安定動作とは言えないという問題点があったが、本発明は、消費電力の変動を極力抑えて、安定した歪補償制御動作を行うことができる歪補償増幅器を提供する。【解決手段】前置増幅手段１において、検波器５で入力される高周波信号の信号レベルを検出し、制御回路部２８が、電源投入時には、検波器５で検出された入力信号レベルに基づく特定の減衰量より大きい減衰量となるよう可変減衰器２の減衰量を制御して高周波信号を減衰し、歪検出ループ手段及び歪除去ループ手段による最適化が為されたことを検知したなら、特定の減衰量となるよう可変減衰器２の減衰量を制御して高周波信号を減衰してから、増幅して歪検出ループ手段に入力するとする歪補償増幅器である。【選択図】　　　　図１
2004056702.tif 000002
【特許請求の範囲】
【請求項１】
入力される高周波信号を特定の減衰量で減衰して増幅する前置増幅手段と、前記所定レベルに増幅された高周波信号を増幅する主増幅器を備えると共に、前記主増幅器で増幅された信号中の歪を検出する歪検出ループ手段と、前記検出された歪を前記主増幅器で増幅された信号中から取り除く歪除去ループ手段とを有するフィードフォワード型の歪補償増幅器であって、
前記前置増幅手段が、
入力される高周波信号の信号レベルを検出し、
電源投入時には、前記検出された入力信号レベルに予め対応付けられた前記特定の減衰量より大きい減衰量で減衰し、前記歪検出ループ手段及び前記歪除去ループ手段による最適化が為されたことを検知したなら、前記特定の減衰量で減衰し、
前記減衰された高周波信号を増幅する前置増幅手段であることを特徴とする歪補償増幅器。
【発明の詳細な説明】
【０００１】
【発明の属する技術分野】
本発明は、フィードフォワード型の歪補償増幅器に係り、特に高周波信号が入力された状態で増幅器の電源が投入された場合に、増幅器の消費電力変動を最小限に抑え、安定した歪補償制御動作を行うことができる歪補償増幅器に関する。
【０００２】
【従来の技術】
従来のフィードフォワード型の歪補償増幅器の構成例について図４を使って説明する。図４は、従来のフィードフォワード型の歪補償増幅器の構成例を示すブロック図である。
従来のフィードフォワード型の歪補償増幅器は、図４に示すように、可変減衰器２′と増幅器３とを具備する前置増幅器ユニット１′と、方向性結合器１１と、ベクトル調整器１２と、方向性結合器１３と、主増幅器１４と、遅延器１５と、方向性結合器１６と、遅延器１７と、ベクトル調整器１８と、誤差増幅器１９と、方向性結合器２０と、方向性結合器２１と、方向性結合器２２と、検波器２３と、制御回路部２８′と、パイロット信号送受信部２９と、方向性結合器２２と、検波器２３と、制御回路部２８′から構成されている。
【０００３】
尚、一般的に歪補償増幅器は、フィードフォワードの機能上、入力信号を分岐して一方の入力信号を増幅し、増幅による歪み成分を含む増幅された入力信号と、他方の増幅されていない入力信号とを逆位相で合成させることによって歪成分信号を出力する歪検出ループと、歪み成分を含む増幅された入力信号と歪成分信号とを逆位相で合成して歪成分を除去し、結果的に歪み成分を含まない増幅された入力信号を出力する歪除去ループとに大別できる。
【０００４】
図４において、方向性結合器１１から方向性結合器１６までが歪検出ループを構成し、方向性結合器１６から方向性結合器２０までが歪除去ループを構成してフィードフォワードの機能を実現している。
【０００５】
従来の歪補償増幅器の各部について簡単に説明する。
前置増幅器ユニット１′は、入力される高周波信号を後続のフィードフォワード部分に対して、所定のレベルまで上昇させて入力するプリアンプの役割を果たすものである。
前置増幅器ユニット１′内の可変減衰器２′は、装置全体としての利得を調整する目的で用いられ、減衰量は電圧またはディジタル信号により可変にできるものであるが、従来の構成においては、予め設定された特定の減衰量で減衰が行われる。
【０００６】
増幅器３は、可変減衰器２′で減衰された高周波信号を後続のフィードフォワード部分に対して所定のレベルになるまで増幅する増幅器である。
【０００７】
方向性結合器１１は、入力される高周波信号を２つに分岐出力し、ベクトル調整器１２及び遅延器１５に出力するものである。
ベクトル調整器１２は、後述する制御回路部２８′から制御される調整量で、入力信号の位相のシフト及び振幅の減衰処理調整（ベクトル調整）を行うもので、可変位相器及び可変減衰器等で構成される場合もある。
【０００８】
方向性結合器１３は、ベクトル調整器１２でベクトル調整された高周波信号と、後述するパイロット信号送受信部２９から供給されるパイロット信号との合成を行い、合成された入力信号を主増幅器１４に出力するものである。
【０００９】
主増幅器１４は、入力される高周波信号、又は入力される高周波信号とパイロット信号との合成信号を増幅する本増幅器におけるメインの増幅器である。
通常、主増幅器１４では、増幅の際に、入力信号の本来の周波数である基本周波数成分に対して、基本周波数成分の近傍に周波数を持つ歪み成分が生成される。
【００１０】
遅延器１５は、方向性結合器１１から出力された入力信号を遅延させ、方向性結合器１６に出力するもので、主増幅器１４における入力信号の増幅で入力信号が遅延化されるため、これに同調させるため設けられたものである。
【００１１】
方向性結合器１６は、主増幅器１４で増幅された入力信号をそのまま遅延器１７に出力すると共に、主増幅器１４で増幅された歪成分信号を含む増幅された入力信号と、遅延器１５から出力された歪み成分を含まない入力信号を逆位相で合成し、合成結果である歪成分信号を方向性結合器２２に出力するものである。
【００１２】
遅延器１７は、方向性結合器１６から出力された歪成分信号を含む増幅された入力信号を遅延させ、方向性結合器２０に出力するもので、誤差増幅器１９における歪成分信号の増幅で歪成分信号が遅延化されるため、これに同調させるため設けられたものである。
【００１３】
ベクトル調整器１８は、後述する制御回路部２８′から制御される調整量で、方向性結合器１６から出力された歪成分信号の位相及び振幅の調整（ベクトル調整）を行うもので、可変位相器及び可変減衰器等で構成しても良い。
【００１４】
誤差増幅器１９は、ベクトル調整器１８でベクトル調整された歪成分信号を増幅し、方向性結合器２０に出力するものである。
方向性結合器２０は、遅延器１７から出力された歪み成分を含む増幅された入力信号と、誤差増幅器１９で増幅された歪成分信号とを逆位相で合成し、合成結果である増幅された入力信号のみを出力するものである。尚、方向性結合器２０において、出力端子の一方には終端抵抗が接続されている。
【００１５】
方向性結合器２１は、方向性結合器２０から出力された増幅された入力信号を出力端子とパイロット信号送受信部２９に分岐して出力するものである。
方向性結合器２２は、方向性結合器１６から出力される歪み成分信号をベクトル調整器１８に出力すると共に、分岐して検波器２３に入力するものである。
検波器２３は、歪み成分信号を検波し、検波結果を制御回路部２８に出力するものである。
【００１６】
パイロット信号送受信部２９は、方向性結合器２１で分岐された増幅された入力信号を入力し、増幅された入力信号に含まれるパイロット信号を相関検出して検出したレベルを制御回路部２８′に出力するものである。
【００１７】
制御回路部２８′は、ベクトル調整器１２又はベクトル調整器１８における位相及び振幅の調整量を制御する制御信号を出力するもので、検波器２３からの歪み成分信号の検波レベルに基づいて、当該検波レベルが最小値となるようにベクトル調整器１２の調整量を最適化し、またパイロット信号送受信部２９からのパイロット信号のレベルに基づいて、当該信号レベルが０（ゼロ）となるようにベクトル調整器１８の調整量を最適化するようになっている。
【００１８】
次に、従来の歪補償増幅器の動作について図４、図５を用いて説明する。図５は、従来の歪補償増幅器の各部から出力される信号のスペクトラム波形を示す説明図である。
従来の歪補償増幅器では、高周波信号（以下、入力信号）が入力され、まず前置増幅器ユニット１′の可変減衰器２′で予め設定された減衰量で減衰され、増幅器３で増幅されて、所定のレベルの入力信号がフィードフォワード部分に入力される。
【００１９】
そして、所定のレベルの入力信号は、図５（ａ）に示すように、基本的には無歪に近い高周波信号で基本周波数成分のみの信号であり、歪検出ループの方向性結合器１１でそれぞれ主増幅器１４のルートと遅延器１５のルートに分配して出力される。
【００２０】
主増幅器１４のルートに出力された入力信号は、まずベクトル調整器１２で位相及び振幅の調整が行われ、主増幅器１４において高い増幅度で増幅され、図５（ｂ）に示すように、入力信号の基本周波数成分が増幅され、更に増幅の際に基本周波数成分近傍に発生した歪成分とからなる信号が方向性結合器１６に入力される。
【００２１】
一方、方向性結合器１１によって分岐され、遅延器１５のルートに出力された入力信号は、遅延器１５において主増幅器１４ルートで発生する遅延分だけ遅延された後、方向性結合器１６の他方の入力端子に出力され、そのスペクトラム波形は、図５（ｃ）に示すように、基本周波数成分のみである。
【００２２】
そして、方向性結合器１６において、主増幅器１４からの増幅された入力信号がそのまま遅延器１７に出力されると共に、主増幅器１４からの歪み信号成分を含む増幅された入力信号と、遅延器１５からの増幅されていない、即ち歪みを含まない入力信号とが逆位相で合成され、結果として増幅された入力信号中の基本波成分が相殺され、歪成分信号が歪除去ループの方向性結合器２２を経由してベクトル調整器１８に出力される。
【００２３】
歪除去ループにおいて、遅延器１７に出力された歪み成分を含む増幅された入力信号は誤差増幅器１９ルートで発生する遅延分だけ遅延された後、方向性結合器２０の入力端子に出力される。
また、方向性結合器１６において抽出された歪成分信号は、方向性結合器２２で分岐されて、ベクトル調整器１８において位相及び振幅の調整が行われた後、誤差増幅器１９において遅延器１７における入力信号と同レベルに増幅され、方向性結合器２０の他方の入力端子に出力され、そのスペクトラム波形は、図５（ｄ）に示すように、歪み成分のみである。
【００２４】
方向性結合器２０では、遅延器１７から出力された歪み成分を含む増幅された入力信号と、誤差増幅器１９から出力された歪成分信号とが逆位相で合成され、歪成分が相殺され、図５（ｅ）に示すように入力信号中の基本波成分のみを増幅した増幅信号が出力される。
【００２５】
この時、方向性結合器２２で分岐された歪み成分信号は、検波器２３で検波され、検波レベルが制御回路部２８′に出力され、制御回路部２８′において、歪み成分信号の検波レベルに基づいて、当該検波レベルが最小値となるようにベクトル調整器１２の調整量を最適化して、歪み検出ループにおける最適化が為される。
【００２６】
また、上記歪み検出ループにおける最適化が為された後に、パイロット信号送受信部２９からパイロット信号が出力され、方向性結合器１３で、入力された高周波信号とパイロット信号とが合成されて、合成信号が主増幅器１４で増幅される。
【００２７】
その結果、パイロット信号成分も方向性結合器１６から誤差増幅器１９ルートに出力される歪み成分信号に含まれることになり、方向性結合器２０から出力された増幅信号が、方向性結合器２１によって分岐されて出力端子に出力されると共に、パイロット信号送受信部２９に出力され、増幅信号中に含まれるパイロット信号が相関検出されて、レベル検出結果が制御回路部２８′に出力される。
【００２８】
そして、制御回路部２８′でパイロット信号送受信部２９からのパイロット信号レベルに基づいて、当該信号レベルがゼロとなるようにベクトル調整器１８の調整量を最適化するような制御信号が出力されて、歪み除去ループにおける最適化が為される。
【００２９】
尚、歪み検出ループには、歪み除去ループと同様に、パイロット信号を使用して最適化を行う方法もある。
【００３０】
上記従来の歪補償増幅器における消費電力の変動について、図６を使って説明する。図６は、従来の歪補償増幅器に高周波信号が入力された状態で電源が投入された場合の消費電力変動を示すグラフ図である。
従来の歪補償増幅器では、高周波信号が入力された状態でフィードフォワード型歪補償増幅器の電源が投入されると、歪検出ループが最適化されていない為に、方向性結合器１６から出力される歪み成分信号が大きな信号となり、誤差増幅器１９に対して過入力状態となり、誤差増幅器１９の消費電力が歪制御収束時に比べて瞬間的に高くなり、歪検出ループ、歪除去ループが共に最適化されるに従い、消費電力が徐々に減少して安定動作するようになっていた。
【００３１】
尚、フィードフォワード増幅装置の従来技術としては、平成８年２月２０日公開の特開平８−５１３１９号「初期動作時不要波出力防止型フィードフォワード増幅装置」（出願人：富士通株式会社、発明者：丸山　聡他）がある。
この従来技術は、主増幅器の電源立ち上げ後に、パイロット信号の減衰量を徐々に低減させていくと共に、パイロット信号の減衰量低減後に主信号の減衰量を徐々に低減させていくフィードフォワード増幅装置であり、これにより、従来必要としていたスイッチを無くし、主増幅器出力から装置出力までのロスを減らし、増幅装置の消費電力を軽減できるものである。
【００３２】
【発明が解決しようとする課題】
しかしながら、従来の歪補償増幅器では、高周波信号が入力された状態でフィードフォワード型歪補償増幅器の電源が投入されると、歪み検出ループの最適化が為されていないので、歪み成分信号が大きな信号となり、誤差増幅器１９に対して過入力状態となるため、誤差増幅器１９の消費電力が歪制御収束時に比べて瞬間的に高くなってしまい、増幅器に供給している電源回路部に対して負荷がかかり、増幅器の歪補償動作として安定動作とは言えないという問題点があった。
【００３３】
本発明は上記実情に鑑みて為されたもので、消費電力の変動を極力抑えて、安定した歪補償制御動作を行うことができる歪補償増幅器を提供することを目的とする。
【００３４】
【課題を解決するための手段】
上記従来例の問題点を解決するための本発明は、入力される高周波信号を特定の減衰量で減衰して増幅する前置増幅手段と、所定レベルに増幅された高周波信号を増幅する主増幅器を備えると共に、主増幅器で増幅された信号中の歪を検出する歪検出ループ手段と、検出された歪を主増幅器で増幅された信号中から取り除く歪除去ループ手段とを有するフィードフォワード型の歪補償増幅器であって、
前置増幅手段が、
入力される高周波信号の信号レベルを検出し、
電源投入時には、検出された入力信号レベルに予め対応付けられた特定の減衰量より大きい減衰量で減衰し、歪検出ループ手段及び歪除去ループ手段による最適化が為されたことを検知したなら、特定の減衰量で減衰し、
減衰された高周波信号を増幅する前置増幅手段であることを特徴としており、電源投入直後の瞬間的な消費電力増大を回避して、消費電力の変動を抑えることができる。
【００３５】
【発明の実施の形態】
本発明の実施の形態について図面を参照しながら説明する。
尚、以下で説明する機能実現手段は、当該機能を実現できる手段であれば、どのような回路又は装置であっても構わず、また機能の一部又は全部をソフトウェアで実現することも可能である。更に、機能実現手段を複数の回路によって実現してもよく、複数の機能実現手段を単一の回路で実現してもよい。
【００３６】
本発明に係る歪補償増幅器は、前置増幅手段において、入力される高周波信号の信号レベルを検出し、電源投入時には、検出された入力信号レベルに予め対応付けられた特定の減衰量より大きい減衰量で高周波信号を減衰し、歪検出ループ手段及び歪除去ループ手段による最適化が為されたことを検知したなら、特定の減衰量で高周波信号を減衰してから、増幅して歪検出ループ手段に入力するものなので、電源投入直後の瞬間的な消費電力増大を回避して、消費電力の変動を抑えることができるものである。
【００３７】
尚、本発明の実施の形態における各手段と図１の各部との対応を示すと、前置増幅手段は、前置増幅器ユニット１、制御回路部２８に相当し、歪検出ループ手段は、方向性結合器１１、ベクトル調整器１２，方向性結合器１３，主増幅器１４，遅延器１５，方向性結合器１６，方向性結合器２２検波器２３、制御回路部２８、パイロット信号送受信部２９に相当し、歪除去ループ手段は、方向性結合器１６、遅延器１７，ベクトル調整器１８、誤差増幅器１９、方向性結合器２０、方向性結合器２１、パイロット信号送受信部２９、制御回路部２８に相当している。
【００３８】
本発明の実施の形態に係る歪補償増幅器の構成について図１を使って説明する。図１は、本発明の実施の形態に係る歪補償増幅器の構成ブロック図である。尚、図４と同様の構成をとる部分については同一の符号を付して説明する。
本実施の形態に係る歪補償増幅器は、図１に示すように、従来と同様の構成として、方向性結合器１１と、ベクトル調整器１２と、方向性結合器１３と、主増幅器１４と、遅延器１５と、方向性結合器１６と、遅延器１７と、ベクトル調整器１８と、誤差増幅器１９と、方向性結合器２０と、方向性結合器２１と、方向性結合器２２と、検波器２３と、パイロット信号送受信部２９とから構成され、本発明の特徴部分として、前置増幅器ユニット１と制御回路部２８とが、従来のそれとは異なっている。
【００３９】
即ち、フィードフォワード機能を実現する方向性結合器１１から方向性結合器１６までの歪検出ループと、方向性結合器１６から方向性結合器２０までの歪除去ループ部分は、従来の構成及び動作と同様である。
【００４０】
本発明の歪補償増幅器における特徴部分について説明する。
本発明の前置増幅器ユニット１は、従来と同様に、入力される高周波信号を後続のフィードフォワード部分に対して、所定のレベルまで上昇させて入力するプリアンプの役割を果たすものであり、その内部は、可変減衰器２と、増幅器３と、方向性結合器４と、検波器５から構成されている。
【００４１】
可変減衰器２は、装置全体としての利得を調整する目的で用いられ、減衰量は外部から電圧またはディジタル信号により可変にできるものであるが、本発明の特徴として、減衰量が制御回路部２８からの制御信号によって制御され、電源投入時には、検出された入力信号レベルに予め対応付けられた予め定めた特定の減衰量より大きい減衰量で減衰し、歪検出ループ及び歪除去ループによる最適化が為されたことを検知したなら、予め定めた特定の減衰量で減衰が行われる点が、従来の可変減衰器２′とは異なっている。
【００４２】
増幅器３は、従来と同様であり、可変減衰器２で予め定めた特定の減衰量にて減衰された高周波信号を後続のフィードフォワード部分に対して所定のレベルにする固定的な増幅率で増幅する増幅器である。
【００４３】
方向性結合器４は、入力される高周波信号を分岐して、可変減衰器２と検波器５に出力するものである。
検波器５は、入力信号のレベルを検出するものである。
【００４４】
制御回路部２８は、従来と同様に、歪み成分信号の検波レベル及びパイロット信号のレベルに基づいて、ベクトル調整器１２又はベクトル調整器１８における位相及び振幅の調整量を制御する制御信号を出力する機能に加え、本発明の特徴部分として、検波器５からの入力信号の検波レベルに応じて、可変減衰器２における減衰量を制御する制御信号を出力するものである。
【００４５】
具体的な制御方法としては、電源投入時の高周波信号の入力レベルに対応した可変減衰器２の減衰量を設定した減衰量テーブルと、歪検出ループ及び歪除去ループが最適化されたと判断する歪み成分の検波レベル閾値とを制御回路部２８内のメモリ部２８ａに記憶しておき、電源投入時に検波器５からの入力レベルに対応する減衰量を減衰量テーブルを参照して取得し、当該減衰量に設定する制御信号を可変減衰器２に出力し、検波器２３からの歪み成分の検波レベルがメモリ部２８ａに記憶された閾値以下になって歪検出ループ、歪除去ループが最適化したと判断されたなら、減衰量を予め定めた特定の値に戻す制御信号を出力するようになっている。
【００４６】
ここで、メモリ部２８ａに記憶される減衰量テーブルの具体例について、図２を使って説明する。図２は、本発明おける入力信号レベルと減衰量との対応テーブル例を示すテーブル図である。
図２の例では、高周波信号の入力レベルがある規定レベルであったときに、減衰量を１５ｄＢであるとし、入力レベルが規定レベルよりも小さく、例えば規定レベル−１０ｄＢであった時には、減衰量を１０ｄＢとする。
【００４７】
即ち、入力レベルが大きめの時には、大きな減衰量で減衰して、フィードフォワード部に入力される信号の信号レベルを抑え、入力レベルが小さめの時には、小さめの減衰量で減衰して、フィードフォワード部に入力される信号の信号レベルをさほど抑えないようにする。
【００４８】
次に、本発明の歪補償増幅器の電源投入時の初期動作について、図１、図３を用いて説明する。図３は、本発明の歪補償増幅器に高周波信号が入力された状態で電源が投入された場合の増幅装置利得変動及び消費電力変動を示すグラフ図である。
本発明の歪補償増幅器では、高周波信号（以下、入力信号）が入力されている状態で装置電源が投入されると、まず入力信号が方向性結合器４で分岐されて検波器５に入力され、入力信号のレベルが検出されて制御回路部２８に出力される。
【００４９】
制御回路部２８では、検波器５からの入力信号の検波レベルに応じて、メモリ部２８ａに記憶された減衰量テーブルを参照し、検波レベルに対応する減衰量が取得され、可変減衰器２における減衰量を制御する制御信号が可変減衰器２に出力される。
【００５０】
本装置に入力され、方向性結合器４で分岐された入力信号は、可変減衰器２で制御回路部２８によって制御された減衰量で減衰され、増幅器３で増幅されて方向性結合器１１以降のフィードフォワード部分に入力される。
【００５１】
この時、歪補償増幅器全体としての利得は、図３（ａ）に示すように、歪み検出ループ、歪み除去ループの最適化がある程度為されるまでは、所定の利得よりも小さく（低く）抑えられ、それによって、誤差増幅器１９に入力される歪み成分信号がそれほど大きな信号とはならず、誤差増幅器１９に対して過入力状態とはならないため、消費電力の変動は、図３（ｂ）に示すように、従来のように瞬間的の大きな値を示すことが回避され、小さなピークで安定していく。
【００５２】
そして、制御回路部２８では、検波器２３からの歪み成分の検波レベルがメモリ部２８ａに予め記憶された閾値以下になって歪検出ループ、歪除去ループがある程度最適化したと判断されたなら、可変減衰器２における減衰量を予め定めた特定の値に戻す制御信号が出力され、以降は、可変減衰器２で制御回路部２８によって制御された予め定めた特定の減衰量で減衰され、増幅器３で増幅されて方向性結合器１１以降のフィードフォワード部分に入力される。
【００５３】
この時、歪補償増幅器全体としての利得は、図３（ａ）に示すように、通常の所定の利得に戻るが、既に歪み検出ループがある程度最適化されているため、誤差増幅器１９に対して過入力状態とはならず、消費電力の変動は、図３（ｂ）に示すように、再度ピークが発生するが、従来のように瞬間的の大きな値を示すことが回避され、小さなピークで安定していく。
【００５４】
本発明の実施の形態に係る歪補償増幅器によれば、装置電源が投入されたときの初期動作として、検波器５で入力信号の検波を行って入力信号レベルが検波され、制御回路部２８が予め設定されている減衰量テーブルを参照して、入力信号レベルに対応する減衰量を取得し、制御回路部２８によって制御される減衰量で可変減衰器２が入力信号を減衰し、増幅器３で増幅して方向性結合器１１以降のフィードフォワード部分に入力するので、高周波信号が入力された状態で電源投入されても、歪検出ループ、歪除去ループの最適化が全く為されていない状態では、フィードフォワード型の歪補償増幅器としての利得を抑えた状態で歪検出ループ、歪除去ループの最適化が開始されるので、誤差増幅器１９に対して過入力は発生せず、その結果消費電力が瞬間的に高くなることを回避して、安定した歪補償制御動作を行うことができる効果がある。
【００５５】
また、本発明の実施の形態に係る歪補償増幅器によれば、制御回路部２８が検波器２３からの歪み成分の検波レベルを監視し、歪み成分の検波レベルがメモリ部２８ａに予め記憶された閾値以下になって歪検出ループ、歪除去ループが最適化したと判断されたなら、可変減衰器２における減衰量を予め定めた特定の値（歪補償増幅器として所定の減衰量）に戻す制御信号が出力され、以降は、可変減衰器２で制御回路部２８によって制御された予め定めた特定の減衰量で減衰され、増幅器３で増幅されて方向性結合器１１以降のフィードフォワード部分に入力されるので、歪検出ループ、歪除去ループがある程度最適化された状態になってから所定の利得になるように減衰量が設定されるので、誤差増幅器１９に対して過入力は発生せず、その結果消費電力が瞬間的に高くなることを回避して緩やかな変化となり、安定した歪補償制御動作を行うことができる効果がある。
【００５６】
【発明の効果】
本発明によれば、前置増幅手段において、入力される高周波信号の信号レベルを検出し、電源投入時には、検出された入力信号レベルに予め対応付けられた特定の減衰量より大きい減衰量で高周波信号を減衰し、歪検出ループ手段及び歪除去ループ手段による最適化が為されたことを検知したなら、特定の減衰量で高周波信号を減衰してから、増幅して歪検出ループ手段に入力する歪補償増幅器としているので、電源投入直後の瞬間的な消費電力増大を回避して、消費電力の変動を抑えることができる効果がある。
【図面の簡単な説明】
【図１】本発明の実施の形態に係る歪補償増幅器の構成ブロック図である。
【図２】本発明おける入力信号レベルと減衰量との対応テーブル例を示すテーブル図である。
【図３】本発明の歪補償増幅器に高周波信号が入力された状態で電源が投入された場合の増幅装置利得変動及び消費電力変動を示すグラフ図である。
【図４】従来のフィードフォワード型の歪補償増幅器の構成例を示すブロック図である。
【図５】従来の歪補償増幅器の各部から出力される信号のスペクトラム波形を示す説明図である。
【図６】従来の歪補償増幅器に高周波信号が入力された状態で電源が投入された場合の消費電力変動を示すグラフ図である。
【符号の説明】
１、１′…前置増幅器ユニット、　２、２′…可変減衰器、　３…増幅器、　４…方向性結合器、　５…検波器、　１１…方向性結合器、　１２…ベクトル調整器、　１３…方向性結合器、　１４…主増幅器、　１５…遅延器、　１６…方向性結合器、　１７…遅延器、　１８…ベクトル調整器、　１９…誤差増幅器、２０…方向性結合器、　２１…方向性結合器、　２２…方向性結合器、　２３…検波器、　２８…制御回路部、　２８ａ…メモリ部、　２９…パイロット信号送受信部
【図１】
2004056702.tif 000003
【図２】
2004056702.tif 000004
【図３】
2004056702.tif 000005
【図４】
2004056702.tif 000006
【図５】
2004056702.tif 000007
【図６】
2004056702.tif 000008